(57)【要約】  綾織り（１０）を有する、特に落石保護又は辺縁保護用の保護ネットは、三次元マットレス状構造によって形成される。それは、鋼でできた２本以上のワイヤ（２２）又はワイヤストランドを組み込む、個別のらせん状折り曲げワイヤストランド、ワイヤ束、ワイヤケーブル（１１、１２、１３、１４）等から織られる。ワイヤストランド、ワイヤケーブル、又はワイヤ束等が、高張力鋼から少なくとも部分的に作られ、かつ保護ネットが、それ故に非常に高い強度を備えることができるならば、大きな利点である。【選択図】図１
2008501878.tif 000002
【特許請求の範囲】
【請求項１】
ワイヤ（２２）から製造され、かつ三次元マットレス状構造を形成する、綾織り（１０）によって形成される特に落石保護又は辺縁保護用の保護ネットであって、綾織り（１０）が、鋼でできた２本以上のワイヤ（２２）又はワイヤストランドを組み込んだ、ワイヤストランド、ワイヤ束、ワイヤケーブル（１１、１２、１３、１４）等から織られることを特徴とする保護ネット。
【請求項２】
ワイヤストランド、ワイヤケーブル、又はワイヤ束（１１、１２、１３、１４）等が、高張力鋼から少なくとも部分的に作られることを特徴とする請求項１に記載の保護ネット。
【請求項３】
ワイヤストランド、ワイヤケーブル、又はワイヤ束（１１、１２、１３、１４）が、ループ（１１”、１２”）を経由して部分的に端部が互いに柔軟に接続されることを特徴とする請求項１又は２に記載の保護ネット。
【請求項４】
ワイヤストランド、ワイヤケーブル、又はワイヤ束（１１、１２、１３、１４）が、ループ（１１”、１２”）に曲げられるとともに、その周縁の周りに巻き付けられる少なくとも１つのループ（１９）を追加として備えることを特徴とする請求項３に記載の保護ネット。
【請求項５】
ワイヤストランド、ワイヤケーブル、又はワイヤ束（１１、１２、１３、１４）を形成するワイヤ（２２）が、耐食性であることを特徴とする請求項１から４のいずれかに記載の保護ネット。
【請求項６】
ワイヤストランド、ワイヤケーブル、又はワイヤ束（１１、１２、１３、１４）を形成するワイヤ（２２）が、１０００〜２２００Ｎ／ｍｍ2の範囲の公称強度を有することを特徴とする請求項１から５のいずれかに記載の保護ネット。
【請求項７】
綾織り（１０）を形成するらせん状曲げワイヤストランド、ワイヤケーブル、又はワイヤ束（１１、１２、１３、１４）が、好ましくは２５〜３５°の傾斜角（α）を有することを特徴とする請求項１から６のいずれかに記載の保護ネット。
【請求項８】
辺縁保護（４０）が、ワイヤ織り（１０）、その織りを地表に保持する爪付き板等によって、地中に埋没できる取り付け要素（１５）、及び織りを保持及び延伸する表面上の少なくとも１本のロープ（２１）を組み込むことを特徴とする請求項１から７のいずれかに記載の保護ネット。
【請求項９】
ワイヤストランド、ワイヤ束、ワイヤケーブル（１１、１２、１３、１４）等が、手段の少なくともスパイクまで既定の傾斜角（α）で導入され、かつ約１８０°、既定の長さ（Ｌ）で前記スパイクの周りに曲げられること、及びワイヤストランド、ワイヤ束、ワイヤケーブル（１１、１２、１３、１４）等が、スパイク（６６）に対してその縦軸の周りを数回、既定の長さＬだけ前進し、かつこのワイヤストランド、ワイヤ束、ワイヤケーブル（１１、１２、１３、１４）等が、らせん状形状を取るまで、毎回１８０°だけスパイクの周りで曲げられることを特徴とする請求項１から８のいずれかに記載の保護ネットの製造方法。
【請求項１０】
らせん状曲げワイヤストランド、ワイヤ束、ワイヤケーブル（１１、１２、１３、１４）等が、第２のらせん状曲げワイヤストランド、ワイヤ束、ワイヤケーブル（１１、１２、１３、１４）等と一緒に織られ、第２が第３と一緒に織られ、かつワイヤ織りが所望の大きさに達するまで反復されることを特徴とする請求項９に記載の方法。
【発明の詳細な説明】
【技術分野】
【０００１】
本発明は、請求項１の主たる記載による特に落石保護又は辺縁保護用の保護ネットに関する。
【背景技術】
【０００２】
このタイプの保護ネットは、特許文献１から知られている。保護ネットは、高張力鋼でできた個別のらせん状曲げワイヤから織られた、偏菱形ループ及び三次元マットレス状構造を有する綾織りとして設計される。ワイヤは、織りが延伸した状態でもその三次元マットレス状構造を保持し、かつ植生層の保持器又は安定器として地表を覆う役目を果たせるように、非常に高い引張り強度を有する。ワイヤ織りは、折り畳むことができ、かつ格納又は輸送中に僅かな空間しか取らない。ワイヤの高い曲げ抵抗のお陰で、ワイヤが切断した時のほつれ（ladder）形成の危険性は、減少する。
【０００３】
【特許文献１】欧州特許第０９７９３２９号明細書
【発明の開示】
【発明が解決しようとする課題】
【０００４】
上記タイプの保護ネットを提供すること、及び切断する危険性を実質的に減少させるためにそれを更に改善することが本発明の目的である。
【課題を解決するための手段】
【０００５】
この課題は、請求項１に記載された特徴を有する保護ネットによって本発明に従って解決される。
【０００６】
本発明の保護ネットの更に好ましい実施態様は、下位クレームの対象を形成する。
【０００７】
本発明の保護ネットが、高張力鋼でできた２本以上のワイヤ（又はワイヤストランド）を組み込んだ個別のらせん状曲げワイヤストランド、ワイヤケーブル、又はワイヤ束から織られることは、事実上、荷重による変形を許容せず、ループ固定要素（例えば交差金具）を必要としない硬度の高い保護ネットを作り出すので好ましい。
【０００８】
ワイヤストランド、ワイヤケーブル、又はワイヤ束でできた本発明の綾織りは、ロール上に事実上「無限に」製造でき、それにより長手方向ロール側面が、好ましくは非常に硬質な縁部結節を、ワイヤストランド、ワイヤケーブル、又はワイヤ束端部から形成されたループの形状で組み込む。
【発明を実施するための最良の形態】
【０００９】
本発明は、添付図面を参照して、これから更に詳細に記載する。
【００１０】
図１及び２は、ここでは、例として四角又は多角ループ１７を有する正方形綾織り１０の形状を取る、例えば道路等に沿った辺縁保護又は岩壁保護用のような地表層を保護する保護ネットをそれぞれ示す。綾織り１０は、各々が高張力鋼でできた２本以上のワイヤ２２を組み込んだ、多数のらせん状曲げワイヤストランド、ワイヤケーブル、又はワイヤ束１１、１２、１３、１４から織られる。これらは、２本以上のワイヤストランドから巻かれるワイヤ、又は２本以上のワイヤ束から巻かれるワイヤ、又はワイヤケーブルになるワイヤストランド、又はこれらの要素の組み合わせから成っても良い。
【００１１】
ワイヤは、ＤＩＮ基準２０７８によれば、１００〜２２００Ｎ／ｍｍ2の公称強度、例えば１７７０Ｎ／ｍｍ2の強度を有する。しかしながら、ＤＩＮ基準１７２２３によるスプリングワイヤ鋼を使用することも可能である。ワイヤの厚さは、必要な引っ張り強度によって決まり、かつ例えば３ｍｍであっても良い。
【００１２】
これらのワイヤ２２は、必要な耐食性を提供するために、通常、亜鉛めっきされ、かつ亜鉛／アルミニウムコーティング及び／又はプラスチックコーティング又はクロム合金を備える。このために、１００〜２５０ｇ／ｍ2の面積重量を有する亜鉛コーティングが、例えば構想できる。
【００１３】
織り１０の側方端部で、ワイヤストランド、すなわちワイヤケーブル、すなわちワイヤ束１１、１２、１３、１４は、ループ１１”、１２”を経由して、２本１組で互いに柔軟に接続され、それにより、これらのループ１１”、１２”は、端部が曲げられるワイヤストランド、すなわちワイヤケーブル、すなわちワイヤ束１１、１２、１３、１４自体によって形成される。ワイヤストランド、すなわちワイヤケーブル、すなわちワイヤ束１１、１２、１３、１４は、好ましくはループを形成するために曲げられた後にその周縁に巻き付けられる幾つかのループ１９を追加として備え、そのことは、延伸した状態でこれらのループに加えられる引っ張り荷重のためにそれが切開することに対して十分な安全性を保証する。
【００１４】
綾織り１０は、地中に埋没された取り付け要素１５によって既定の張力で地表に保持される。好ましくは、１本のワイヤ又はロープ２１が、織り１０の上端及び下端に位置する、らせん状曲げ端部ワイヤケーブル、すなわち端部ワイヤストランド端部ワイヤ束１１のそれぞれに差し込まれて、取り付け要素１５によって床等に対して引っ張られる。原理的には、取り付け要素１５が、ループ１１’を直接保持することも可能である。
【００１５】
個別のらせん状曲げワイヤストランド、ワイヤケーブル、又はワイヤ束１１、１２、１３、１４は、綾織り１０のループ１７の形状及び大きさを決定する２つの曲げの間の傾斜角α、並びに長さＬに組み込む。約２０〜３５°の角度の値が選択できるならば、傾斜角αにとって有利である。個別のループ１７は、各々が偏菱形を形成し、それによりループの幅は、例えば７７×１４３ｍｍであっても良い。このことは、織り１０が地表に配置され、かつ長手方向にロープ２１によって引っ張られる時に、著しく延伸しないという利点を提供する。その上、個別のループ１７は、このようにして細長い開口部を有する偏菱形を形成する。このことは、土質材料に対する浸透性減少という利点を有する。
【００１６】
個別のワイヤストランド、ワイヤケーブル、又はワイヤ束１１、１２、１３、１４は、織られた状態で柔軟に保持され、その結果、綾織り１０は、マットのように折り畳むことができる、すなわち巻き上げられる。従って、かかる織りの格納及び輸送には、非常に僅かな空間しか必要としない。
【００１７】
図３によれば、織り１０は、高張力鋼ワイヤの使用によって可能にされる、三次元マットレス状構造に組み込む。個別のワイヤストランド、ワイヤケーブル、又はワイヤ束１１、１２、１３、１４は、このためにらせん状であり、かつ曲げられ、かつ次に互いに織り交ぜられ、この結果生じる織り１０は、断面から見ると、ほぼ長方形の周縁を形成する。従って、ワイヤストランド、ワイヤケーブル、又はワイヤ束は、曲げ区間１１’及び直線区間９１からなる。この細長い長方形は、数本のワイヤケーブルの厚さ１０’、すなわちワイヤストランドの厚さを有する。このことは、このワイヤ織り１０が、プレテンション状態（pre-tensioned condition）でも、三次元であることを意味する。ワイヤストランド、ワイヤケーブル、又はワイヤ束が、張力増加によって長手方向で延伸でき、かつこのメッシュ織りに弾性増加を与えるので、このことは、織りの弾力性増加をもたらす。他方で、この三次元設計は、この織りによって被覆された、又は地表、例えば辺縁の被覆後に植生層の追加の支持体又は安定性を提供する。
【００１８】
本発明の保護ネットが、ワイヤストランド又はワイヤ束を形成するために変えられる高張力鋼から作られた２本以上のワイヤを組み込んだ個別のらせん状曲げワイヤストランド、ワイヤケーブル、又はワイヤ束、又はワイヤケーブルを形成するために変えられる高張力鋼から作られた２本以上のワイヤストランドから織られることは、事実上、荷重による変形を許容せず、かつループ固定要素（例えば交差金具）を必要としない、非常に硬質な保護ネットが、作られることを意味する。
【００１９】
ワイヤストランド、ワイヤケーブル、又はワイヤ束から作られた本発明の綾織りは、ロール上に事実上「無限に」製造でき、それにより長手方向ロール側面が、好ましくは非常に硬質な縁部結節を、ワイヤストランド、ワイヤケーブル、又はワイヤ束端部から形成されたループの形状に組み込むことができる。
【００２０】
しかしながら、基本的に保護ネットは、高張力鋼から作られない、又は部分的にのみ作られる、より薄い又は厚いワイヤを有するワイヤストランド、ワイヤ束、らせん状ケーブルからなることもできる。
【００２１】
図４は、固着する地表層を形成する急斜面に位置する例えば辺縁４５の、辺縁保護４０のためにここで使用される本発明による保護ネットシステム１０を示す。
【００２２】
この辺縁保護４０は、所望の辺縁領域を横切って配置されるワイヤ織り１０、及び織り１０が地表に固着される、地中に埋没した取り付け要素１５、すなわち爪付き板等を備えている。取り付け要素１５に関して、好ましくは辺縁４５に規則的な間隔で取り付けられる既知の地面釘又は岩釘が必要である。織り１０の上端及び下端で、織り１０が延伸及び引っ張るロープ２１が、構想される。
【００２３】
かかる保護ネットシステムによって、斜面を最適に保護することが可能である。本発明のネット設計によって、辺縁に落下する石又は岩によって引き起こされる大きな前進力を問題なく吸収することも可能である。
【００２４】
保護ネット１０を製造する、本発明による方法によって、ワイヤストランド、ワイヤ束、ワイヤケーブル１１、１２、１３、１４等は、少なくとも、ここで詳細に図示しない手段のスパイクの所まで、第１ステップ中に、既定の傾斜角αで導入され、かつ約１８０°、既定の長さＬでスパイクの周りに曲げられる。更なるステップ中に、ワイヤストランド、ワイヤ束、ワイヤケーブル１１、１２、１３、１４等は、スパイク６６に対してその縦軸の周りを数回、既定の長さＬだけ前進し、かつこのワイヤストランド、ワイヤ束、ワイヤケーブル１１、１２、１３、１４等が、らせん状形状を取るまで、毎回１８０°だけスパイクの周りで曲げられる。一旦これらのらせん状曲げワイヤストランド、ワイヤ束、ワイヤケーブル１１、１２、１３、１４等が作り出されると、それは、第２のらせん状曲げワイヤストランド、ワイヤ束、ワイヤケーブル等と一緒に織られ、次に第２が第３と一緒に織られ、かつワイヤ織りが所望の大きさに達するまで反復される。
【００２５】
高張力ワイヤが、これらのワイヤストランド、ワイヤ束、又はワイヤケーブルに少なくとも部分的に使用されることが好まれる。しかしながら、低い硬度を有するワイヤを使用することも可能である。個別のワイヤと対照的に、厚いワイヤ束が、使用できることは、全体的硬度の増加をもたらす。
【図面の簡単な説明】
【００２６】
【図１】本発明の保護ネットのループの概観を示す。
【図２】保護ネットの部分的概観を示す。
【図３】図１によるネットの部分側面図を示す。
【図４】斜面上に固着する辺縁を形成する保護ネットシステムの略図を示す。
【図１】
2008501878.tif 000003
【図２】
2008501878.tif 000004
【図３】
2008501878.tif 000005
【図４】
2008501878.tif 000006
【国際調査報告】
2008501878.tif 000007
2008501878.tif 000008
2008501878.tif 000009
2008501878.tif 000010